(57)【特許請求の範囲】
【請求項１】
長手方向に所定の間隔で並ぶ巻芯拘束用の多数の係合体を有する巻軸を複数本備え、帯状シートをスリッターにより複数条に分割しながら該分割シートを前記巻軸へ振分けて供給し、該分割シートを前記巻軸に支持された個々の巻芯のまわりに巻取るシート分割巻取装置における前記スリッターと前記巻軸とのシート幅方向の最適ずれ量を算出する装置であって、前記巻軸をシート幅方向に所定範囲内で一定距離ずつ間欠的に移動させると仮定して、前記巻軸の停止毎に該巻軸の累積移動量を算出する移動量算出手段と、前記巻軸の停止毎に、該巻軸上の係合体に設定した巻芯端回避区域の現在の配置と、入力された前記スリッターによる帯状シートの所要分割幅又は所要分割位置に基づく前記巻芯の配置とを比べて前記多数の係合体の中から前記巻芯端回避区域内に巻芯の端が位置している係合体を休止係合体として検出する検出手段と、前記巻軸の停止毎に、前記検出した休止係合体の総数を算出し、該休止係合体の総数と前記巻軸の累積移動量とを関係付けて記憶し、前記巻軸の移動終了後に、前記巻軸の停止毎の休止係合体の総数が最小となるときの巻軸の累積移動量を最適ずれ量として出力する抽出手段とを備えることを特徴とする最適ずれ量算出装置。
【請求項２】
前記検出手段は、前記巻軸の停止毎に前記休止係合体を見つけ出すと共に前記休止係合体となる係合体を特定する情報を出力し、前記抽出手段は、前記巻軸の停止毎に前記休止係合体となる係合体を特定する情報を記憶し、巻軸の移動終了後に、前記最適ずれ量と共に前記休止係合体となる係合体を特定する情報を出力することを特徴とする請求項１に記載の最適ずれ量算出装置。
【請求項３】
請求項１記載の最適ずれ量算出装置において、前記検出手段は、前記複数の巻軸を一緒に移動させると仮定して前記各巻軸について夫々前記多数の係合体の中から前記巻芯端回避区域内に巻芯の端が位置している係合体を休止係合体として見つけ出すこととし、前記抽出手段の代わりに、前記巻軸の停止毎に前記各巻軸について前記休止係合体の総数を合計して該合計値を記憶すると共に前記巻軸の累積移動量を関係付けて記憶し、前記巻軸の移動終了後に前記合計値が最小となるときの前記累積移動量を前記最適ずれ量として出力する抽出手段を備えることを特徴とする最適ずれ量算出装置。
【請求項４】
前記巻芯端回避区域は、前記巻芯の一端に対して設定された第１の巻芯端回避区域と、前記巻芯の他の一端に対して設定された第２の巻芯端回避区域とからなり、前記巻芯の一端が第１の巻芯端回避区域内に位置するとき又は前記巻芯の他の一端が第２の巻芯端回避区域内に位置するとき、前記巻芯端回避区域に巻芯の端が位置することとする請求項１から請求項３のいずれか１項に記載の最適ずれ量算出装置。
【請求項５】
前記巻芯の配置は、シート幅方向に直交する共通の基準線から各巻芯の一端までの距離と他の一端までの距離とによって把握することとし、前記係合体に対応する巻芯端回避区域の配置は、前記共通の基準線から各係合体に対応する巻芯端回避区域の開始位置までの距離と終了位置までの距離とによって把握することを特徴とする請求項１から請求項４のいずれか１項に記載の最適ずれ量算出装置。
【請求項６】
前記検出手段は、設定部から入力された帯状シートの所要分割幅又は所要分割位置を含む各巻芯の配置に関する情報を記憶する第１の記憶部と、前記係合体と前記巻芯との不適正な係合を避けるために前記係合体毎に設定した巻芯端回避区域に関する情報、並びに前記係合体の相互間隔を含む前記係合体の配置に関する情報を記憶する第２の記憶部と、前記第１の記憶部からの情報に基づき、前記スリッターから巻軸へ供給される分割シート毎の巻芯の配置を算出する第１の算出手段と、前記累積移動量及び前記第２の記憶部に記憶している係合体の配置に関する情報に基づき、前記巻軸上の各係合体に対応する巻芯端回避区域の現在の配置を算出する第２の算出手段と、前記巻軸の停止毎に、前記第２の算出手段で算出した係合体毎の巻芯端回避区域の現在の配置と、前記第１の算出手段で算出した分割シート毎の巻芯の配置とを比較して、前記係合体毎に、当該係合体に対応する前記巻芯端回避区域内に前記巻芯の端が位置するか否かを判定し、前記巻芯端回避区域内に巻芯の端が位置すると判定された場合は当該係合体を休止係合体とする判定手段とを備えることを特徴とする請求項１に記載の最適ずれ量算出装置。
【請求項７】
前記係合体の相互間隔を含む前記係合体の配置に関する情報を前記第２の記憶部に入力して記憶させるための設定部と、前記係合体毎に設定した巻芯端回避区域に関する情報を前記第２の算出手段に入力して記憶させるための設定部とを備えることを特徴とする請求項６に記載の最適ずれ量算出装置。
【請求項８】
請求項１若しくは請求項２又は請求項３に記載の最適ずれ量算出装置において、前記移動量算出手段は、前記巻軸の代わりに前記スリッターをシート幅方向に所定範囲内で一定距離ずつ間欠的に移動させると仮定して、前記巻軸の累積移動量を算出する代わりに前記スリッターの累積移動量を算出することとし、前記検出手段は、前記巻軸の停止毎に、該巻軸上の係合体に設定した巻芯端回避区域の現在の配置と、入力された前記スリッターによる帯状シートの所要分割幅又は所要分割位置に基づく前記巻芯の配置とを比べる代わりに、前記スリッターの停止毎に、前記巻軸上の係合体に設定した巻芯端回避区域の配置と、前記入力されたスリッターによる帯状シートの所要分割幅又は所要分割位置、並びに前記移動量算出手段からの累積移動量に基づく巻芯の現在の配置とを比べることとし、前記抽出手段は、前記巻軸の停止毎に、前記休止係合体の総数と又は前記巻軸毎の前記休止係合体の総数の合計値と、前記巻軸の累積移動量とを関係付けて記憶する代わりに、前記スリッターの停止毎に、前記休止係合体の総数と又は前記巻軸毎の前記休止係合体の総数の合計値と、前記スリッターの累積移動量とを関係付けて記憶し、更に、前記巻軸の移動終了後に前記巻軸の停止毎の休止係合体の総数又は前記合計値が最小となるときの巻軸の累積移動量を最適ずれ量とする代わりに、前記スリッターの移動終了後に、前記スリッターの停止毎の休止係合体の総数又は前記合計値が最小となるときのスリッターの累積移動量を最適ずれ量とすることとした最適ずれ量算出装置。
【請求項９】
長手方向に所定の間隔で並ぶ多数の係合体を有する巻軸を複数本備え、帯状シートをスリッターにより複数条に分割しながら該分割シートを前記巻軸へ振分けて供給し、該分割シートを前記巻軸に支持された個々の巻芯のまわりに巻取るシート分割巻取装置において巻取幅を変更する方法であって、請求項１に記載の最適ずれ量算出装置を用いて巻取幅変更後の前記スリッターと前記巻軸毎の最適移動量を算出する工程と、前記スリッターが有する刃物を、前記入力される所要分割幅に基づく分割位置、又は前記入力される所要分割位置に対応する分割位置に配置する工程と、前記スリッターと前記巻軸とのずれ量が、前記算出した最適ずれ量になるように前記巻軸の位置を夫々変更する工程を含むことを特徴とする巻取幅変更方法。
【請求項１０】
請求項９に記載の巻取幅変更方法において、請求項１に記載の最適ずれ量算出装置を用いる代わりに、請求項２に記載の最適ずれ量算出装置を用いて、巻取幅変更後の前記スリッターと前記巻軸の最適移動量を算出すると共に、前記休止係合体となる係合体を特定する情報を出力することとし、前記休止係合体の総和が零でなかった場合、前記出力した休止係合体となる係合体を特定する情報に基づき、前記休止係合体となる係合体について該係合体が巻芯を拘束するための係合をすることができないようにする工程を加えたこと特徴とする巻取幅変更方法。
【請求項１１】
請求項９に記載の巻取幅変更方法において、請求項１記載の最適ずれ量算出装置を用いる代わりに、請求項３に記載の最適ずれ量算出装置を用いて、前記複数の巻軸を同時に移動する場合の巻取幅変更後のスリッターと巻軸の最適移動量を算出し、前記スリッターと前記巻軸とのずれ量が、前記算出した最適ずれ量になるように、前記巻軸の位置を個々に変更する代わりに、前記複数の巻軸を一緒に移動させて位置を変更するか、又は前記スリッターを移動させて位置を変更することを特徴とする巻取幅変更方法。
【発明の詳細な説明】
【技術分野】
【０００１】
本発明は、シート分割巻取装置における帯状シートを所要幅に分割するスリッターと、スリッターから供給される分割シート毎の巻芯を貫通支持する巻軸との帯状シート幅方向における最適ずれ量を算出する最適ずれ量装置及びシート分割巻取装置における巻取幅変更方法に関する。
【背景技術】
【０００２】
従来、シート分割巻取装置には、巻軸を複数本備え、帯状シートをスリッターにより所要幅の複数条のシートに分割しながら、その分割シートを前記巻軸へ振分けて供給し、その分割シートを前記巻軸により貫通支持した個々の巻芯のまわりに巻取るものがある。一般に、複数の分割シートを同時に巻軸で貫通支持した個々の巻芯のまわりに巻取る場合には、中心駆動軸と、この中心駆動軸に個々に回転可能に装着した多数の巻取カラーと、この巻取カラーに中心駆動軸から必要な回転力を伝達する回転力伝達手段とからなる巻軸を用いる。回転力伝達手段は、中心駆動軸に対して巻取カラーが回転することを許しつつ巻取カラーに回転力を伝達することができる。各巻取カラーは、巻芯を空回りしないように拘束するための係合体を備えており、この係合体は分割シート巻取時に巻取カラーの外周へ突出して巻芯の内周面に係合することができる。したがって、巻軸の長手方向には一定の相互間隔で多数の巻芯拘束用の係合体が並んでいる。この巻軸では係合体を巻取カラーに外挿した巻芯の内周面に係合させることによって、巻芯を巻取カラー上に拘束し、その巻芯に巻取カラーから回転力を伝達することができる。
【０００３】
このシート分割巻取装置において巻取幅つまり分割シートの幅を変更するには、先ず、スリッターにおいて、分割シートの幅が所要幅となり、かつ化粧裁ちされた両側の耳の幅が極力均等になるように帯状シートの分割位置を定め、刃物を保持するホルダーを支持梁の案内面沿いに個々に移動することにより、各刃物を夫々の設定した帯状シートの分割位置に配置する。
【０００４】
次に、巻軸を保持して回転駆動する巻取装置において、分割シート毎にその幅に応じた長さの巻芯を準備し、供給される分割シート毎の巻芯を各巻軸に外挿して、その巻軸を所定の巻取位置に保持した後、スリッターに帯状シートを低速で供給し、その帯状シートをスリッターで複数条に分割しながら分割シートを複数の巻軸に振分けて供給し、その分割シートの先端が巻軸に到達すると帯状シートの供給を停止し、巻軸に外挿している巻芯を巻軸沿いにスライドさせ、その巻軸に到達した夫々の分割シートに整合する位置に配置する。その後、分割シートの先端部を巻芯上に接着して又は巻付けて巻取りを開始する。
【０００５】
ところが、従来においては、巻取幅を変更する際にスリッターによる帯状シートの分割位置を、巻軸上に配置された多数の係合体の配置を考慮することなく決めるので、巻取幅変更後、巻軸に供給される分割シートに整合するように巻芯を装着したとき、巻芯の端と係合体とが不適正な位置関係となる場合がある。
【０００６】
例えば、巻取カラーの半径方向に突出して巻芯の内周面を押圧するための係合体が球体である場合、巻芯の内周面に球体の頂点を押付けたときは、球体の突出力には巻芯長手方向の力の成分を生じないが、巻芯の端面と内周面の角と球体とが、その球体の頂点より低い位置で接触すると、球体の突出力に巻芯長手方向の力の成分が発生して巻芯に作用するので巻軸上の巻芯が帯状シート幅方向にずれ易くなる。そして巻取中に巻芯が巻軸に対してシート幅方向にずれた場合、巻芯上の分割シートの巻取ロールの端面に段部ができ、その巻取ロールは不良品となり、シート分割巻取装置の歩留低下の原因となる。
【０００７】
また、係合体が所定幅を有する断片状の爪であり、その爪と巻芯の内周面との係合部分の幅が小さい場合には、爪の巻芯に対する回転力と爪の押圧力とにより巻芯の内周面と端面との角の部分には大きい応力が生じて、その角の部分が破壊されると共に、その破壊された部分が粉末状の断片となって飛散し、その粉末状の断片が分割シートに付着して巻取ロールを不良品にする原因になる。
【０００８】
そこで、巻芯の端と係合体とが不適正な位置関係になっても、上述のような問題が生じないようにするために、従来においては、係合体を選択的に突出可能にしたり、突出不能にしたりすることができる切替機構を巻取カラーに設けた巻軸を用いることもあった。そして、この巻軸を備えたシート分割巻取装置では、スリッターにおいて帯状シートの分割位置を変更した後、そのスリッターに帯状シートを供給して通過させることで複数の分割シートとし、その分割シートの先端を巻軸へ導いて巻軸上に到達させ、巻軸上に到達した分割シートの配置に整合するように巻芯を巻軸上に配置する。その際、所要位置に配置した巻芯の端と係合体とが不適正な位置関係にならないかを確認し、不適正な位置関係となる係合体を見つけると、その係合体を巻取カラーから突出不能にして巻取カラーの回転力が巻芯に伝達されないようにすることとしていた（下記特許文献１参照）。
【先行技術文献】
【特許文献】
【０００９】
【特許文献１】特開２０１１−２１３４８８号公報
【発明の概要】
【発明が解決しようとする課題】
【００１０】
しかし、従来においては巻取幅を変更する際にスリッターによる帯状シートの分割位置を、巻軸上に配置された多数の係合体の配置を考慮することなく決めるので、巻芯の端と係合体とが不適正な位置関係となることが多い。また巻取幅の変更毎に巻芯の端の位置が多様に変わるため、上述のように巻取カラーから巻芯への回転力伝達機能の停止復活の切替えを行うことができる巻軸を用いたとしても、実際には巻取幅を変更する度に、必要な係合体を突出不能又は突出可能にするという面倒な回転力伝達機能の停止復活の切替操作をしなければならなくなることが多い。またスリッターによる帯状シートの分割位置の設定の仕方如何によっては、巻芯の端と位置関係が不適正となる係合体の数が多数となる場合も生じ得る。そのため巻取幅の変更毎の切替機構の操作に手間がかかり、シート分割巻取装置の稼働率を低下させる原因になる。
【００１１】
ところで、スリッターにおいて、分割幅を維持しつつ分割位置のみ多様に変え、その都度分割シートを巻軸に実際に供給し、その分割シート毎の巻芯の端と巻軸上の係合体との位置関係を確認するという試行錯誤を行うことで、不適正となる係合体の数が極力少なくなる分割位置を見つけることも考えられる。しかし、その適正な分割位置を実際に試行錯誤して的確に見つけることは困難であり、そのための作業を行うには非常に手間がかかるため、この実際に試行錯誤する方法は実用上採用することができない。
【００１２】
ここで、スリッターによる帯状シートの分割幅を維持しつつ分割位置のみ変えることは、スリッターと巻軸との帯状シート幅方向におけるずれ量を変えることと実質的に同じであり、不適正となる係合体の数が極力少なくなるときのスリッターと巻軸とのずれ量をスリッターとの巻軸との最適ずれ量とすると、この最適ずれ量をコンピュータを用いて求めることができれば、その最適ずれ量に基づきスリッターと巻軸とのずれ量を調節することにより、上述の問題点を解決することができる。
【００１３】
そこで本発明は、シート分割巻取装置におけるスリッターと巻軸との帯状シート幅方向の最適ずれ量を算出する最適ずれ量算出装置を提供することを目的とする。またシート分割巻取装置の稼働率と歩留を向上させることができる巻取幅変更方法を提供することを別の目的としている。
【課題を解決するための手段】
【００１４】
本発明による最適ずれ量算出装置は、長手方向に所定の間隔で並ぶ巻芯拘束用の多数の係合体を有する巻軸を複数本備え、帯状シートをスリッターにより複数条に分割しながら該分割シートを前記巻軸へ振分けて供給し、該分割シートを前記巻軸に支持された個々の巻芯のまわりに巻取るシート分割巻取装置における前記スリッターと前記巻軸とのシート幅方向の最適ずれ量を算出する装置であって、前記巻軸をシート幅方向に所定範囲内で一定距離ずつ間欠的に移動させると仮定して、前記巻軸の停止毎に該巻軸の累積移動量を算出する移動量算出手段と、前記巻軸の停止毎に、該巻軸上の係合体に設定した巻芯端回避区域の現在の配置と、入力された前記スリッターによる帯状シートの所要分割幅又は所要分割位置に基づく前記巻芯の配置とを比べて前記多数の係合体の中から前記巻芯端回避区域内に巻芯の端が位置している係合体を休止係合体として検出する検出手段と、前記巻軸の停止毎に、前記検出した休止係合体の総数を算出し、該休止係合体の総数と前記巻軸の累積移動量とを関係付けて記憶し、前記巻軸の移動終了後に、前記巻軸の停止毎の休止係合体の総数が最小となるときの巻軸の累積移動量を最適ずれ量として出力する抽出手段とを備えることを特徴とする。
【００１５】
また、所要幅に分割された分割シートを実際に巻軸へ供給しなくても、休止係合体を把握することができるようにするには、前記検出手段は、前記巻軸の停止毎に前記休止係合体を見つけ出すと共に前記休止係合体となる係合体を特定する情報を出力し、前記抽出手段は、前記巻軸の停止毎に前記休止係合体となる係合体を特定する情報を記憶し、巻軸の移動終了後に、前記最適ずれ量と共に前記休止係合体となる係合体を特定する情報を出力することとしたものが望ましい。
【００１６】
また、複数の巻軸を備えるシート分割巻取装置においてスリッターと巻軸とのシート幅方向のずれを調節するとき、スリッターに対して巻軸を個々に移動させる必要をなくするためには、前記検出手段は、前記複数の巻軸を一緒に移動させると仮定して、前記各巻軸について夫々前記多数の係合体の中から前記巻芯端回避区域内に巻芯の端が位置している係合体を休止係合体として見つけ出すこととし、前記抽出手段の代わりに、前記巻軸の停止毎に前記各巻軸について前記休止係合体の総数を合計して該合計値を記憶すると共に前記巻軸の累積移動量を関係付けて記憶し、前記巻軸の移動終了後に前記合計値が最小となるときの巻軸の累積移動量を前記最適ずれ量として出力する抽出手段を備えることとしたものがよい。
【００１７】
また、巻芯の端と係合体とが適正な位置関係であるか否かを一層正確に判定するには、前記巻芯端回避区域は、前記巻芯の一端に対して設定された第１の巻芯端回避区域と、前記巻芯の他の一端に対して設定された第２の巻芯端回避区域とからなり、前記巻芯の一端が第１の巻芯端回避区域内に位置するとき又は前記巻芯の他の一端が第２の巻芯端回避区域内に位置するとき、前記巻芯端回避区域に巻芯の端が位置することとするとよい。
【００１８】
また、前記巻芯の配置は、シート幅方向に直交する共通の基準線から各巻芯の一端までの距離と他の一端までの距離とによって把握し、前記係合体に対応する巻芯端回避区域の配置は、前記共通の基準線から各係合体に対応する巻芯端回避区域の開始位置までの距離と終了位置までの距離とによって把握すると、両者を簡単に比較することができる。
【００１９】
また、前記検出手段をコンピュータを用いて比較的簡単に構成するには、前記検出手段は、設定部から入力された帯状シートの所要分割幅又は所要分割位置を含む各巻芯の配置に関する情報を記憶する第１の記憶部と、前記係合体と前記巻芯との不適正な係合を避けるために前記係合体毎に設定した巻芯端回避区域に関する情報、並びに前記係合体の相互間隔を含む前記係合体の配置に関する情報を記憶する第２の記憶部と、前記第１の記憶部からの情報に基づき、前記スリッターから巻軸へ供給される分割シート毎の巻芯の配置を算出する第１の算出手段と、前記累積移動量及び前記第２の記憶部に記憶している係合体の配置に関する情報に基づき、前記巻軸上の各係合体に対応する巻芯端回避区域の現在の配置を算出する第２の算出手段と、前記巻軸の停止毎に、前記第２の算出手段で算出した係合体毎の巻芯端回避区域の現在の配置と、前記第１の算出手段で算出した分割シート毎の巻芯の配置とを比較して、前記係合体毎に、当該係合体に対応する前記巻芯端回避区域内に前記巻芯の端が位置するか否かを判定し、前記巻芯端回避区域内に巻芯の端が位置すると判定された場合は当該係合体を休止係合体とする判定手段とを備えることとした。
【００２０】
また、巻軸上の係合体の配置や係合体の大きさや形状等が変更されても、それに応じて最適ずれ量を簡単に算出することができるものとし、係合体の配置や係合体の大きさや形状等が異なる複数種類の巻軸を交換して使用するシート分割巻取装置において巻取幅を変更する際だけでなく、巻軸を設計する際にも有効利用できるものとするためには、前記係合体の相互間隔を含む前記係合体の配置に関する情報を前記第２の記憶部に入力して記憶させるための設定部と、前記係合体毎に設定した巻芯端回避区域に関する情報を前記第２の算出手段に入力して記憶させるための設定部とを備えるとよい。
【００２１】
また、前記移動量算出手段は、前記巻軸の代わりに前記スリッターをシート幅方向に所定範囲内で一定距離ずつ間欠的に移動させると仮定して、前記巻軸の累積移動量を算出する代わりに前記スリッターの累積移動量を算出することとし、前記検出手段は、前記巻軸の停止毎に、該巻軸上の係合体に設定した巻芯端回避区域の現在の配置と、入力された前記スリッターによる帯状シートの所要分割幅又は所要分割位置に基づく前記巻芯の配置とを比べる代わりに、前記スリッターの停止毎に、前記巻軸上の係合体に設定した巻芯端回避区域の配置と、前記入力されたスリッターによる帯状シートの所要分割幅又は所要分割位置、並びに前記移動量算出手段からの累積移動量に基づく巻芯の現在の配置とを比べることとし、前記抽出手段は、前記巻軸の停止毎に、前記休止係合体の総数と又は前記巻軸毎の前記休止係合体の総数の合計値と、前記巻軸の累積移動量とを関係付けて記憶する代わりに、前記スリッターの停止毎に、前記休止係合体の総数と又は前記巻軸毎の前記休止係合体の総数の合計値と、前記スリッターの累積移動量とを関係付けて記憶し、更に、前記巻軸の移動終了後に前記巻軸の停止毎の休止係合体の総数又は前記合計値が最小となるときの巻軸の累積移動量を最適ずれ量とする代わりに、前記スリッターの移動終了後に、前記スリッターの停止毎の休止係合体の総数又は前記合計値が最小となるときのスリッターの累積移動量を最適ずれ量とすることとしてもよい。
【００２２】
本発明による巻取幅変更方法は、長手方向に所定の間隔で並ぶ多数の係合体を有する巻軸を複数本備え、帯状シートをスリッターにより複数条に分割しながら該分割シートを前記巻軸へ振分けて供給し、該分割シートを前記巻軸に支持された個々の巻芯のまわりに巻取るシート分割巻取装置において巻取幅を変更する方法であって、本発明による最適ずれ量算出装置を用いて巻取幅変更後の前記スリッターと前記巻軸毎の最適移動量を算出する工程と、前記スリッターが有する刃物を、前記入力される所要分割幅に基づく分割位置、又は前記入力される所要分割位置に対応する分割位置に配置する工程と、前記スリッターと前記巻軸とのずれ量が、前記算出した最適ずれ量になるように前記巻軸の位置を変更する工程を含むことを特徴とする。
【００２３】
また、巻芯の端と係合体との不適正な係合が避けられない場合でも、巻芯への回転力伝達機能停止の操作を最小限に抑えると共に巻取品質が低下しないようするためには、前述の本発明の最適ずれ量算出装置のうちの、前記巻軸の移動毎に、前記休止係合体の総和を前記巻軸の各々について合計して該合計値を記憶すると共に、前記巻軸移動量算出手段からの累積移動量を記憶し、巻軸の移動終了後に前記合計値が最小となるときの巻軸の累積移動量を前記最適ずれ量として出力することができる最適ずれ量算出装置によって、巻取幅変更後の前記スリッターと前記巻軸毎の最適移動量を算出すると共に、前記休止係合体となる係合体を特定する情報を出力することとし、前記休止係合体の総和が零でなかった場合、前記出力した休止係合体となる係合体を特定する情報に基づき、前記休止係合体となる係合体について該係合体が巻芯を拘束するための係合をすることができないようにする工程を加えるとよい。
【００２４】
また、スリッターと巻軸との最適ずれ量の調節作業を簡単にするためには、巻軸を一緒に間欠的に移動させると仮定して最適ずれ量を算出する本発明の最適ずれ量算出装置を用いて、巻取幅変更後のスリッターと巻軸の最適移動量を最適ずれ量を算出し、前記スリッターと前記巻軸とのずれ量が、前記算出した最適ずれ量になるように、前記複数の巻軸を一緒に移動させて位置を変更するか、又は前記スリッターを移動させて位置を変更するとよい。
【発明の効果】
【００２５】
本発明の最適ずれ量算出装置によれば、巻取幅変更後のスリッターによる帯状シートの分割位置に基づき巻芯の配置と巻軸上の係合体の配置を考慮してスリッターと巻軸との最適ずれ量を算出するので、最適ずれ量を短時間で的確に算出することができる。
【００２６】
本発明の巻取幅変更方法によれば、最適ずれ量算出装置によって算出した最適ずれ量に基づきスリッターと巻軸とのずれ量を的確に調整することができる。そして休止係合体の数が零の場合、巻軸において巻芯への回転力伝達機能の停止復活の切替操作の手間を省くことができ、巻取幅変更に要する時間を短縮することができる。また休止係合体の数が一以上の場合であっても、予め休止係合体となる係合体を知ることができるので、巻取不良対策をすることができる。また休止係合体の数を最小にすることができるので、巻取幅の変更時に、巻取カラーから巻芯への回転力伝達機能の停止復活の切替え作業を比較的短時間で済ませることができるようになる。したがって、シート分割巻取装置の歩留及び稼働率の向上を図ることができる。
【図面の簡単な説明】
【００２７】
【図１】図１は、本発明の巻取幅変更方法を実施するシート分割巻取装置の一例を示す説明図である。
【図２】図２は巻芯端回避区域の説明図である。
【図３】図３は巻芯の配置の説明図である。
【図４】図４は、本発明による最適ずれ量算出装置の第１実施例の構成を示すブロック図である。
【図５】図５は、本発明による最適ずれ量算出装置の第１実施例について、その動作を示すフローチャートである。
【図６】図６は、検出手段の動作を示すフローチャートである。
【図７】図７は判定手段の動作説明図である。
【図８】図８は、本発明による最適ずれ量算出装置の第２実施例の構成を示すブロック図である。
【図９】図９は、出力部に表示される休止係合体となる係合体を特定する情報の一例を示す。
【図１０】図１０は、シート分割巻取装置の別の一例を示す説明図である。
【図１１】図１１は、シート分割巻取装置の更に別の一例を示す説明図である。
【図１２】図１２は、本発明による最適ずれ量算出装置の第３実施例の構成を示すブロック図である。
【図１３】図１３は、本発明による最適ずれ量算出装置の第４実施例の構成を示すブロック図である。
【図１４】図１４は別の巻取カラーの一部分を示す断面図である。
【図１５】図１５は更に別の巻取カラーの一部分を示す断面図である。
【発明を実施するための形態】
【００２８】
図１において、シート分割巻取装置は、帯状シートＳ０をスリッター１により所要幅の複数条のシートＳに分割しながら、その分割シートＳを２本の巻軸２へ振分けて供給し、その分割シートＳを巻軸２により貫通支持した個々の巻芯Ｃのまわりに巻取る。
【００２９】
帯状シートＳ０は原反ロールＲ０から巻戻され、図示しない搬送用ローラによってスリッター１に供給される。原反ロールＲ０は原反支持台３に装着されており、原反支持台３は駆動装置４の駆動力によりシート幅方向に移動することができ、帯状シートＳ０のシート幅方向の中心がスリッター１のシート幅方向の略中心に位置するように原反ロールＲ０を支持することができるようになっている。
【００３０】
スリッター１は、シート幅方向に平行に伸長した案内面５ａを有する支持梁５と、帯状シートＳ０を切断する複数の刃物６と、刃物６を個々に保持すると共にシート幅方向に位置付け可能に案内支持梁５の案内面５ａに装着した刃物毎のホルダー７とからなる。案内支持梁５の両端部は一対の機枠８に固定してある。
【００３１】
巻軸２は、中心駆動軸１０と、中心駆動軸１０に長手方向に所定の間隔でかつ同心に個々に回転可能に装着した多数の巻取カラー１１と、中心駆動軸１０から巻取カラー１１に回転力を伝達する公知の回転力伝達手段とからなる。回転力伝達手段は、中心駆動軸１０が保持する摩擦部材１２と巻取カラー１１の内周面との摩擦力に応じた回転力を巻取カラー１１に、中心駆動軸１０に対する巻取カラー１１の回転を許しつつ伝達することができる。各巻取カラー１１は夫々その巻取カラー１１に外挿した巻芯Ｃを空回りしないように拘束するための係合体９を有しているので、巻軸２はその長手方向に所定の間隔で並ぶ多数の巻芯拘束用の係合体９を有している。
【００３２】
各巻軸２は、中心駆動軸１０の一端に筒状の軸受部１３を設け、この軸受部１３を、片方の機枠８に設けた保持筒１４に嵌め、中心駆動軸１０の他の一端を、もう片方の機枠８に設けたセンタ装置１５の回転センタ１６に係合させることにより、図１に示すように巻取位置で両端支持され、この状態で巻軸２の中心駆動軸１０の一端には図示しない巻取駆動機構から回転駆動力が伝動装置を介して伝達されるようになっている。更に、各巻軸２は、軸受部１３に連結した図示しない公知の抜取り復帰機構により、軸受部１３側へ巻取位置からシート幅方向に抜取ることができ、しかも回転センタ１６の進出量を変えることにより、巻取位置に復帰した状態で機枠８に対して個々にシート幅方向に位置をずらせて支持することができる。センタ装置１５は、回転センタ１６を保持した可動筒体１７を、機枠８に固設した案内筒１８の中空部にスライド可能に嵌め、案内筒１８の後端部を貫通したネジ棒１９を可動筒体１７に螺合させ、ネジ棒１９の後端にハンドル２０を設けたものである。このセンタ装置１５において回転センタ１６の進出量を調節するには、ハンドル２０を操作してネジ棒１９を回転させればよい。したがって、各巻軸２は、ハンドル２０を操作すして軸線方向に位置を変えることで、スリッター１に対して個々にシート幅方向のずれ量を調節することができるようになっている。なお、この例では、上下の巻軸２は巻取時にはシート幅方向において同じ位置に支持され、各巻取カラー１１は夫々同じ構造並びに同じ大きさ及び同じ機能を有しており、中心駆動軸１０上に同じ相互間隔で並んでおり、巻芯Ｃの幅は分割シートＳの幅と等しいこととする。
【００３３】
図２において、スリッター１による帯状シートＳ０の各分割位置とスリッター１から巻軸２に供給される分割シート毎の巻芯Ｃの配置とについて説明する。線Ｌｓは、スリッター１による帯状シートＳ０の分割位置の配置を示す座標軸、線Ｌｕは、図１の上側の巻軸２によって支持する巻芯Ｃの配置を示す座標軸、線Ｌｖは、図１の下側の巻軸２によって支持する巻芯Ｃの配置を示す座標軸である。
【００３４】
スリッター１において使用する刃物６の数を（ｍ＋１）個とすると、スリッター１から送り出される分割シート数はｍ条となる。帯状シートＳ０の幅をＷ０、各分割シートの所要幅をＷ１、Ｗ２、・・・、Ｗｉｒ２、Ｗｉｒ１、Ｗｉ、Ｗｉａ１、・・・、Ｗｍとし、各分割シートの所要幅を合計した幅をＷａとすると、シート幅方向に直交する共通の基準線Ｌ０に最も近い分割位置Ｐｓ１と最も遠い分割位置Ｐｓｍａ１との間隔がＷａとなる。左から１番目と（m＋１）番目の刃物６によって化粧裁ちされる両側の耳Ｓｔの幅を等しくするために、分割位置Ｐｓ１とＰｓｍａ１との中間点が、スリッター１のシート幅方向の中心を通る中心線Ｌｃ上に位置するように分割位置を決めることとし、基準線Ｌ０から中心線Ｌｃまでの距離をＬｓｃとすると、左から１番目の分割位置Ｐｓ１までの距離Ｌ１は（Ｌｓｃ−Ｗａ／２）となる。
【００３５】
左からｉ番目の刃物６による切断位置つまり分割位置をＰｓｉ、左からｉ番目の分割シートをＳｉ、この分割シートＳｉの幅をＷｉとし、左から奇数番目の分割シートＳ１、・・・は上側の巻軸２に、左から偶数番目の分割シートＳ２、・・・は下側の巻軸２に振分けることとすると、分割シート数ｍが奇数のとき、上側の巻軸２に支持される巻芯の個数ｒは｛（ｍ＋１）／２｝となり、下側の巻軸２に支持される巻芯Ｃの個数ｒは｛（ｍ−１）／２｝となる。また分割シート数ｍが偶数のときは、上側の巻芯の個数ｒ並びに下側の巻芯の個数ｒは夫々（ｍ／２）となる。
【００３６】
分割シートＳｉを上側の巻軸２に支持された左からｐ番目の巻芯Ｃｐに巻取り、左から（ｉ＋１）番目の分割シートＳｉａ１を、下側の巻軸２に支持され左からｐ番目の巻芯Ｃｐに巻取ることとすると、ｉが奇数のとき、上側の巻軸２ではｐ＝（ｉ＋１）／２、下側の巻軸ではｐ＝（ｉ−１）／２となり、またｉが偶数のとき上側及び下側の巻軸２では夫々ｐ＝ｉ／２となる。図２では分割シートＳｉは上側の巻軸２に供給されているのでｉは奇数である。そして上側の巻軸２上の左からｐ番目の巻芯Ｃｐの一端は、左からｉ番目の分割位置Ｐｓｉに、上側の巻軸２上の巻芯Ｃｐの他の一端は、左から（ｉ＋１）番目の分割位置Ｐｓｉａ１に対応し、下側の巻軸２上の左から（ｐ−１）番目の巻芯Ｃｐｒ１の他の一端が分割位置Ｐｓｉに対応し、下側の巻軸２上の巻芯Ｃｐの一端は、左から（ｉ＋１）番目つまり偶数番目の分割位置Ｐｓｉａ１に対応し、下側の巻軸２上の巻芯Ｃｐの他の一端は、左から（ｉ＋２）番目の分割位置Ｐｓｉａ２に対応することになる。
【００３７】
ここで、上側の巻軸２上の、左からｐ番目の巻芯Ｃｐの配置は、左から巻芯Ｃｐの一端までの距離Ｌｕ１ｐと他の一端までの距離Ｌｕ２ｐとによって把握し、また下側の巻軸２上の左からｐ番目の巻芯Ｃｐの配置は、左から巻芯Ｃｐの一端までの距離Ｌｖ１ｐと他の一端までの距離Ｌｖ２ｐとによって把握する。
【００３８】
図３は、係合体９と巻芯Ｃとの不適正な係合を避けるために係合体９毎に設定される巻芯端回避区域の説明図である。図３において線Ｌａは、図２に示す上側の巻軸２について係合体、巻芯及び巻芯端回避区域の配置を示す座標軸である。巻芯端回避区域は、図３（Ａ）に示すように、巻芯Ｃの一端に対して設定された第１の巻芯端回避区域Ａｒ１と、図３（Ｂ）に示すように、巻芯Ｃの他の一端に対して設定された第２の巻芯端回避区域Ａｒ２とからなり、巻芯Ｃの一端が第１の巻芯端回避区域Ａｒ１内に位置するとき、又は巻芯Ｃの他の一端が第２の巻芯端回避区域Ａｒ２内に位置するとき、巻芯端回避区域に巻芯Ｃの端が位置することとする。この巻芯端回避区域Ａｒ１、Ａｒ２の位置や広さは係合体９の形状や巻芯Ｃの機械的強度等に応じて変わり得る。
【００３９】
図１に示す巻軸２では、係合体９が球体であるので、巻芯Ｃにシート幅方向の移動力が生じないようにするには、図３（Ａ）に示す理論的な巻芯端回避区域Ａｒ０内に巻芯Ｃの一端が位置しなければよいが、巻芯Ｃの長さや位置等の誤差を考慮して、Ａｒ０より範囲が広くなるようにＡｒ１、Ａｒ２を設定している。ここで、巻軸２には巻取カラー１１がｎ個あり、各巻取カラー１１には係合体９に対する第１の巻芯端回避区域Ａｒ１及び第２の巻芯端回避区域Ａｒ２が１箇所ずつあり、左からｊ番目にある係合体９の配置は、基準線Ｌ０（図２に示す基準線Ｌ０と同じもの）から係合体９の中心までの距離Ｌｂｊにより把握し、この係合体９に対応する第１の巻芯端回避区域Ａｒ１の配置は、基準線Ｌ０から第１の巻芯端回避区域の開始位置Ｐａ１ｊまでの距離Ｌａ１ｊと、終了位置Ｐａ２ｊまでの距離Ｌａ２ｊとによって把握し、第２の巻芯端回避区域Ａｒ２の配置は、基準線Ｌ０から各係合体９に対応する第２の巻芯端回避区域の開始位置Ｐａ３ｊまでの距離Ｌａ３ｊと、終了位置Ｐａ４ｊまでの距離Ｌａ４ｊとによって把握することとする。
【００４０】
図４は、本発明による最適ずれ量算出装置の第１実施例について、その構成を示すブロック図であり、図５は同じく動作を示すフローチャートである。この最適ずれ量算出装置は、図１に示すシート分割巻取装置でのスリッター１と巻軸２とのシート幅方向の最適ずれ量を算出するものであり、コンピュータを用いて構成したものである。そして巻軸２をシート幅方向に所定範囲内で一定距離ΔＬずつ間欠的に移動させると仮定して、巻軸２の停止毎に該巻軸２の累積移動量Ｌｋを算出する移動量算出手段２１と、巻軸２の停止毎に、該巻軸２上の係合体９に設定した巻芯端回避区域Ａｒ１、Ａｒ２の現在の配置と、入力されたスリッター１による帯状シートＳの所要分割幅又は所要分割位置に基づく巻芯Ｃの配置とを比べて、多数の係合体９の中から当該係合体９に設定した巻芯端回避区域内Ａｒ１、Ａｒ２に巻芯Ｃの端が位置している係合体９を休止係合体として検出する検出手段２２と、巻軸２の停止毎に、検出手段２２で検出した休止係合体の総数Ｎｋを算出して該休止係合体の総数Ｎｋと巻軸２の累積移動量Ｌｋとを関係付けて記憶し、巻軸２の移動終了後に、巻軸２の停止毎の休止係合体の総数Ｎｋが最小となるときの巻軸２の累積移動量Ｌｋを最適ずれ量Ｄとして出力する抽出手段２３とを備えている。
【００４１】
移動量算出手段２１は、巻軸２の累積移動量Ｌｋを記憶する記憶部Ｌを備えており、巻軸２が初期位置から一定距離ΔＬずつｋ回移動したとすると、その移動が停止する度に、ｋとΔＬとの積を求めて記憶部Ｌに記憶することで、巻軸２の累積移動量を算出する。
【００４２】
検出手段２２は、設定部２４から入力された帯状シートの所要分割幅を含む各巻芯Ｃの配置に関する情報を記憶する第１の記憶部２５と、第１の記憶部２５からの情報に基づき、スリッター１から巻軸２へ供給される分割シート毎の巻芯Ｃの配置を算出する第１の算出手段２６と、係合体９と巻芯Ｃとの不適正な係合を避けるために係合体９毎に設定した巻芯端回避区域Ａｒ１、Ａｒ２に関する情報、並びに係合体９の相互間隔ｂを含む係合体９の配置に関する情報を記憶する第２の記憶部２７と、移動量算出手段２１で算出した巻軸２の累積移動量Ｌｋ、及び第２の記憶部２７に記憶している係合体９の配置に関する情報に基づき、巻軸２上の各係合体９に対応する巻芯端回避区域Ａｒ１、Ａｒ２の現在の配置を算出する第２の算出手段２８と、巻軸２の停止毎に、第２の算出手段２８で算出した係合体９毎の巻芯端回避区域Ａｒ１、Ａｒ２の現在の配置と、第１の算出手段２６で算出した分割シート毎の巻芯Ｃの配置とを比較して、係合体９毎に、当該係合体９に対応する巻芯端回避区域Ａｒ１、Ａｒ２内に巻芯Ｃの端が位置するか否かを判定し、巻芯端回避区域Ａｒ１、Ａｒ２内に巻芯Ｃの端が位置すると判定された場合は当該係合体９を休止係合体とする判定手段２９とを備えている。
【００４３】
この第１実施例では、検出手段２２は、巻軸２上の係合体９の配置や係合体９の大きさや形状等が変更されても、それに応じて最適ずれ量を簡単に算出することができるようにするために、係合体９の中心から巻芯端回避区域の開始位置までの距離ａ１（図３に示す）並びに終了位置ま出の距離ａ２を第２の記憶部２７に入力して記憶させるための設定部３１、３２と、図１に示す係合体９の相互間隔ｂと、巻軸２のシート幅方向の中心と１番目の係合体９との距離Ｌｂ０（図１に示す）を第２の記憶部２７に入力して記憶させるための設定部３３、３４を備えている。また巻軸２の移動ピッチを必要に応じて容易に変更することができるようにするために、巻軸２が移動する毎に進む距離ΔＬを第２の記憶部２７に入力して記憶させるための設定部３５を備えている。そして設定部２４、３０、３２、３３、３４、３５は、ＧＵＩを用いた入力画面に夫々テキストボックスやコンボボックス等として表示されるようになっている。設定部３５には必要に応じて例えば０．１ｍｍ、１ｍｍ等の値がΔＬとして設定される。
【００４４】
第１の記憶部２５は、設定部２４から入力された分割シートＳ１からＳｍまでの各々の所要分割幅Ｗ１、・・・、Ｗｍを記憶することができる。そして図２の基準線Ｌ０から中心線Ｌｃまでの距離Ｌｓｃを予め記憶している。また第２の記憶部２７も予めＬｓｃを記憶している。なお各分割シートの所要分割幅が分割シート間で互いに同じである場合は、一つの分割シートの所要分割幅のみを代表で入力して記憶させてもよい。また中心線Ｌｃを基準線Ｌ０とする場合はＬｓｃ＝０となる。
【００４５】
第１の算出手段２６は、上側の巻軸２に関して各巻芯の配置を算出するためのものであり、巻芯の配置を図２において左から順に算出することができるようにするために、巻芯の配置を記憶する記憶部Ｌｕ１とＬｕ２を備えている。そしてＬｕ１並びにＬｕ２が左から（ｐ−１）番目の巻芯Ｃｐｒ１の配置を記憶しているとき、そのＬｕ１の現在の記憶値に、図２の左から｛２×（ｐ−１）−１｝番目の分割位置Ｐｓｉｒ２と（２×ｐ−１）番目の分割位置Ｐｓｉとの間隔｛つまり左から（ｉ−２）番目の分割シートＳｉｒ２の幅Ｗｉｒ２と（ｉ−１）番目の分割シートＳｉｒ１の幅Ｗｉｒ１との和｝を加算して再びＬｕ１に記憶すると共に、Ｌｕ２の現在の記憶値に、左から｛２×（ｐ−１）｝番目の分割位置Ｐｓｉｒ１と（２×ｐ）番目の分割位置Ｐｓｉａ１との間隔｛つまり左から（ｉ−１）番目の分割シートの幅Ｗｉｒ１とｉ番目の分割シートＳｉの幅Ｗｉとの和｝を加算してに再びＬｕ２に記憶することで、左からｐ番目の巻芯Ｃｐの配置Ｌｕ１ｐ、Ｌｕ２ｐを算出するように構成してある。
【００４６】
図１の下側の巻軸２に関して各巻芯Ｃの配置を算出するための第１の算出手段（図４では省略）は、巻芯の配置を記憶する記憶部Ｌｖ1とＬｖ２とを備えており、Ｌｖ１並びにＬｖ２が、図２の下側の巻軸２上の左から（ｐ−１）番目の巻芯Ｃｐｒ１の配置を記憶しているとき、そのＬｖ１の記憶値に、左から｛２×（ｐ−１）｝番目の分割位置Ｐｓｉｒ１と（２×ｐ）番目の分割位置Ｐｓｉａ１との間隔｛つまり左から（ｉ−１）番目の分割シートＳｉｒ１の幅Ｗｉｒ１とｉ番目の分割シートＳｉの幅Ｗｉの和｝を加算してＬｖ１に記憶し、またＬｖ２の記憶値に、左から（２×ｐ−１）番目の分割位置Ｐｓｉと（２×ｐ＋１）番目の分割位置Ｐｓｉａ２との間隔｛つまり左からｉ番目の分割シートＳｉの幅Ｗｉと（ｉ＋１）番目の分割シートＳｉａ１の幅Ｗｉａ１の和｝を加算してＬｕ２に再び記憶することで、左からｐ番目の巻芯Ｃｐの配置Ｌｖ１ｐ、Ｌｖ２ｐを算出するように構成する。この最適ずれ量算出装置では、検出手段２２が備える上側の巻軸２についての第１の算出手段２６と、下側の巻軸２についての第２の算出手段とは、ＧＵＩを利用した画面に設けたオプションボタンにより切替え可能になっている。
【００４７】
図１に示すように、スリッター１のシート幅方向の中心と各巻軸２のシート幅方向の中心とが中心線Ｌｃ上にあるとき各巻軸２は初期位置にある。このとき、図３において基準線Ｌ０からｊ番目にある係合体９についての第１の巻芯端回避区域Ａｒ１の配置をＬａ１０ｊ、Ｌａ２０ｊ、第２の巻芯端回避区域Ａｒ２の配置をＬａ３０ｊ、Ｌａ４０ｊとし、基準線Ｌ０からｊ番目の係合体９までの距離をＬｂｊとすると、Ｌａ１０ｊ＝Ｌｂｊ−ａ１、Ｌａ２０ｊ＝Ｌｂｊ＋ａ２、Ｌａ３０ｊ＝Ｌｂｊ−ａ２、Ｌａ４０ｊ＝Ｌｂｊ＋ａ１となる。そして、この状態から巻軸２が長手方向つまりシート幅方向に、かつ基準線Ｌ０から遠ざかる方向に一定距離ΔＬずつｋ回移動したとすると、このときの巻軸２の累積移動量Ｌｋは、ｋとΔＬとの積に等しいものとなり、その巻軸２の上の基準線Ｌ０からｊ番目にある係合体９ｊに対応する第１の巻芯端回避区域Ａｒ１の現在の配置Ｌａ１ｊ、Ｌａ２ｊは、Ｌａ１０ｊ＋Ｌｋ、Ｌａ２０ｊ＋Ｌｋとなり、第２の巻芯端回避区域Ａｒ２の現在の配置Ｌａ３ｊ、Ｌａ４ｊは、Ｌａ３０ｊ＋Ｌｋ、Ｌａ４０ｊ＋Ｌｋとなる。
【００４８】
図４において第２の算出手段２８は、第１の巻芯端回避区域Ａｒ１の現在の配置を記憶するための記憶部Ｌａ１、Ｌａ２と、第２の巻芯端回避区域Ａｒ２の現在配置を記憶するための記憶部Ｌａ３、Ｌａ４とを備えている。そして記憶部Ｌａ１、Ｌａ２並びにＬａ３、Ｌａ４が、図３において鎖線で示す、左から（ｊ−１）番目の係合体９ｊｒ１についての第１の巻芯端回避区域Ａｒ１の現在の配置、第２の巻芯端回避区域Ａｒ２の現在の配置を記憶しているとき、そのＬａ１、Ｌａ２並びにＬａ３、Ｌａ４の現在の記憶値に夫々係合体９の相互間隔ｂを加算して再びＬａ１、Ｌａ２並びにＬａ３、Ｌａ４に記憶することで、左からｊ番目の係合体９についての第１の巻芯端回避区域の配置Ｌａ１ｊ、Ｌａ２ｊ、第１の巻芯端回避区域の配置をＬａ３ｊ、Ｌａ４ｊを算出するように構成してある。
【００４９】
判定手段２９は、上側の巻軸２のｎ個の巻取カラー１１の係合体９についての第１の巻芯端回避区域Ａｒ１内に巻芯の一端が位置するか否か、又は第２の巻芯端回避区域Ａｒ２に巻芯の他の一端が位置するか否かの判定結果を係合体９毎に記憶する記憶部Ｂ１、・・・、Ｂｊ、・・・、Ｂｎを備えている。そして、これらの記憶部は、この実施例では係合体９が休止係合体であると判定した場合には、「１」を記憶し、巻軸２が初期位置あるとき又は巻軸２が停止位置を変える度に、夫々初期化され「０」が記憶されようになっている。
【００５０】
抽出手段２３は、検出手段２２による検出結果に基づき休止係合体となった係合体９を計数して休止係合体の総数Ｎｋを算出することができる総和算出手段３６を有する。この実施例の場合、総和算出手段３６では、判定手段２９の記憶部Ｂ１・・・Ｂｊ・・・Ｂｎに記憶された判定結果「１」を計数することで、巻軸２の累積移動量Ｌｋにおける休止係合体の総数Ｎｋを算出する。また抽出手段２３は、巻軸２の停止毎の休止係合体の総数Ｎｋと、巻軸２の停止毎の巻軸２の累積移動量Ｌｋとを関係付けて記憶する記憶部（Ｄ，Ｎ）を備えている。
【００５１】
図４に示す最適ずれ量算出装置において、設定部２４に分割シートＳ１からＳｍについて各々の所要分割幅を設定すると共に、設定部３１、３２、３３、３４、３５に夫々の必要な値を設定し、入力画面に設けた計算実行ボタンをクリックして最適ずれ量の算出を開始すると、最適ずれ量算出装置は、まず総和算出手段３６の記憶部Ｎに初期値（例えば係合体９の総数ｎ）を記憶にすると共に、抽出手段２３の記憶部（Ｄ，Ｎ）の記憶をリセットして零にする（図５の工程Ｓ０１）。
【００５２】
次に、移動量算出手段２１に巻軸２が初期位置にあるときの巻軸２の移動量の算出を指示し（図５の工程Ｓ０２）、それを受けて移動量算出手段２１は巻軸２の累積移動量Ｌｋ＝０を算出する（図５の工程Ｓ０３）。
【００５３】
次に、検出手段２２は、移動量算出手段２１から累積移動量Ｌｋを受けて休止係合体を検出する（図５の工程Ｓ０４）。
【００５４】
次に、抽出手段２３では検出手段２２からの検出結果に基づき総和算出手段３５が休止係合体の総数Ｎｋを算出し（図５の工程Ｓ０５）、その算出した休止係合体の総数Ｎｋと記憶部Ｎに記憶しているＮｍとを比較する（図５の工程Ｓ０６）。その結果Ｎｍ＞Ｎｋである場合は、移動量算出手段２１の記憶部Ｌからの累積移動量Ｌｋと休止係合体の総数Ｎｋとを記憶部（Ｄ，Ｎ）に関係付けて記憶する（図５の工程Ｓ０７）。
【００５５】
次に、累積移動量Ｌｋと係合体の相互間隔ｂとを比較し（図５の工程Ｓ０８）、その結果、Ｌｋ＜ｂであるの場合は、巻軸２がΔＬだけ移動して次に停止位置についたときの累積移動量の算出を移動量算出手段２１に指示する（図５の工程Ｓ０９）。そして図５における工程Ｓ０３から工程Ｓ０８を繰り返す。
【００５６】
図５の工程Ｓ０６においてＮｍとＮｋとを比較した結果、Ｎｍ＞Ｎｋでない場合は、図５の工程Ｓ０８に進み、Ｌｋとｂとを比較する。またＬｋとｂとを比較した結果、Ｌｋ＜ｂでない場合は、抽出手段２３の記憶部（Ｄ，Ｎ）に記憶した累積移動量Ｄａを出力部３７に出力する（図５の工程Ｓ０１０）。これで最適ずれ量の算出が終了する。この実施例では出力部３７はＧＵＩを用いた出力画面を備えており、この画面に最適ずれ量Ｄが表示されるようになっている。
【００５７】
図６は、検出手段２２の動作を説明するためのフローチャートである。検出手段２２では、判定手段２９によって第１の巻芯端回避区域Ａｒ１に巻芯Ｃｐの一端があるか否かを判定する工程と、第２の巻芯端回避区域Ａｒ２に巻芯Ｃｐの他の一端があるか否かを判定する工程があるが、図６には前者の工程のみを示し、後者の工程については前者と同様の考え方に基づいて判定するので説明を省略する。
【００５８】
図７は、図６に示す判定手段の２９の動作を説明するための説明図である。図７において線Ｌａは巻芯の配置を示す座標軸、線Ｌｕは第１巻芯端回避区域の配置を示す座標軸であり、判定手段２９は、第１の巻芯端回避区域Ａｒ１に巻芯Ｃｐの一端があるか否かを判定するものとし、次のように動作するように構成してある。
【００５９】
即ち、現在、巻軸２がΔＬずつｋ回移動して、巻軸２の累積移動量がＬｋであり、第１の算出手段２６の記憶部Ｌｕ１に、左からｐ番目の巻芯Ｃｐの一端の位置Ｌｕ１ｐを記憶し、第２の算出手段２８の記憶部Ｌａ１、Ｌａ２に、左からｊ番目の係合体９ｊの第１の巻芯端回避区域Ａｒ１ｊの現在の配置Ｌａ１ｊ、Ｌａ２ｊを記憶しているとすると、このとき図４の判定手段２９は、第１の算出手段２６からＬｕ１ｐを受けると共に、第２の算出手段２８から、図７に示すＬａ１ｊ、Ｌａ２ｊを受けて、Ｌｕ１ｐとＬａ１ｊとを比較する（図６の工程Ｓ７）。その結果、Ｌｕ１ｐの方が大きい場合は、更にＬｕ１ｐとＬａ２ｊとを比較する（図６の工程Ｓ８）。
【００６０】
Ｌｕ１ｐとＬａ２ｊを比較した結果、Ｌｕ１ｐの方が小さい場合、つまり巻芯Ｃｐと第１の巻芯端回避区域Ａｒ１ｊが図７に示すような位置関係にある場合、判定手段２９は、巻芯Ｃｐの一端が係合体９ｊの第１の巻芯端回避区域Ａｒ１ｊ内にあると判定し、即ち係合体９ｊが休止係合体であると判定して記憶部Ｂｊに「１」を記憶し（図６の工程Ｓ９）、巻芯Ｃｐの一端と係合体９ｊの第１の巻芯端回避区域Ａｒ１ｊとの比較判定を終了する。その後、検出手段２２は、左から（ｊ＋１）番目の係合体９ｊａ１の第１の巻芯端回避区域Ａｒ１ｊａ１の現在の配置Ｌａ１ｊａ１、Ｌａ２ｊａ１を算出するよう第２の算出手段２８に指令し（図６の工程Ｓ１０）、更にｊがｎを超えているか否かを判断し（図６の工程Ｓ１１）、ｊ＞ｎでなければ、第２の算出手段２８は、次の第１の巻芯端回避区域Ａｒ１ｊａ１の現在の配置を算出する（図６の工程Ｓ３）。
【００６１】
Ｌｕ１ｐとＬａ２ｊとを比較した結果、Ｌｕ１ｐがＬａ２ｊより小さくない場合は、判定手段２９は、巻芯Ｃｐの一端と係合体９ｊの第１の巻芯端回避区域Ａｒ１ｊとの比較判定を終了する。その後、検出手段２２は図６の工程Ｓ１０に進む。
【００６２】
Ｌｕ１ｐとＬａ１ｊとを比較した結果、Ｌａ１ｊよりＬｕ１ｐの方が小さい場合は、判定手段２９は、巻芯Ｃｐの一端と係合体９ｊの第１の巻芯端回避区域Ａｒ１ｊとの比較判定を終了する。その後、検出手段２２は、左から（ｐ＋１）番目の巻芯Ｃｐａ１の配置を算出するように要求する（図６の工程Ｓ１２）。そして検出手段２２は、ｐがｒに達してるか否かを判断し（図６の工程Ｓ１３）、その結果、ｐ＞ｒでなければ、第１の算出手段２６は次の巻芯Ｃｐａ１の配置を算出する（図６の工程Ｓ６）。
【００６３】
第２の巻芯端回避区域Ａｒ２に巻芯Ｃｐの他の一端があるか否かを判定する判定手段２９も、上述の判定手段２９と同様に作動するように構成されているので説明は省略する。
【００６４】
検出手段２２は、検出を開始すると、先ず、第１の算出手段２６の記憶部Ｌｕ１、第２の算出手段２８の記憶部Ｌａ１、Ｌａ２、判定手段２９の記憶部Ｂｉの記憶をリセットして零にすると共に、図１の左から１番目の係合体９に対応する第１の巻芯端回避区域の配置の初期値Ｌａ１１＝Ｌｋ＋Ｌｓｃ−Ｌｂ０−ａ１、Ｌａ１２＝Ｌｋ＋Ｌｓｃ−Ｌｂ０＋ａ２を準備し（図６の工程Ｓ１）、左から1番目の第１の巻芯端回避区域を算出するよう第２の算出手段２８に指令する（図６の工程Ｓ２）。
【００６５】
次に、第２の算出手段２８は、図１の左から１番目の係合体９に対応する第１の巻芯端回避区域の配置の初期値Ｌａ１１、Ｌａ１２を記憶部Ｌａ１、Ｌａ２に記憶する（図６の工程Ｓ３）。それによって左から１番目の係合体９に対応する第１の巻芯端回避区域の配置が算出される。
【００６６】
次に、図２の左から１番目の巻芯Ｃの配置の初期値Ｌ１＝（Ｌｓｃ−ｗａ／２）を準備し（図６の工程Ｓ４）、第１の算出手段２６に図２の左から１番目の巻芯Ｃ１の一端の配置を算出するよう指令する（図６の工程Ｓ５）。
【００６７】
次に第１の算出手段２６は初期値Ｌ１を、その初期値を記憶部Ｌｕ１に記憶する（図６の工程Ｓ６）。それによって左から１番目の巻芯Ｃ１の一端の位置Ｌｕ１１が算出される。
【００６８】
次に、判定手段２９が、１番目の巻芯Ｃ１の一端の位置Ｌｕ１１と１番目の係合体９の第１の巻芯端回避区域の現在の配置Ｌａ１１、Ｌａ２１とを比較して1番目の係合体９が休止係合体か否かを判定する（図６の工程Ｓ７）。
【００６９】
図１に示す上側の巻軸２では、左から１番目の巻芯Ｃの一端は左から２番目の係合体９より右側にあるので、図６の工程Ｓ７の判定結果はＬｕ１１＞Ｌａ１１となって、図６の工程Ｓ８に進み、その判定結果はＬｕ１１＞Ｌａ２１となり、図６の工程Ｓ１０、工程Ｓ１１、工程Ｓ３へと進む。そして第２の算出手段２８が左から２番目の係合体の第１の巻芯端回避区域の配置を算出し、判定手段２９は、その２番目の第１の巻芯端回避区域の配置と１番目の巻芯の一端の配置とを比較する。そして左から２番目の係合体９の第１の巻芯端回避区域についても１番目と同様の判定結果となり、第２の算出手段２８は、更に次の係合体９の第１の巻芯端回避区域を算出する。図７において比較するｐ番目の巻芯Ｃｐの一端Ｌｕ１ｐより、ｊ番目の係合体９の第１の巻芯端回避区域Ｌａ１ｊ、Ｌａ２ｊが右側に位置するとすると、その場合は、判定手段２９はＬｕ１ｐ＞Ｌａ１ｊでないと判断し、図６の工程Ｓ１２、工程Ｓ１３、工程Ｓ６へと進み第１の算出手段２６は次の巻芯の一端を算出する。このようにして検出手段２２は、係合体９の並ぶ順に左から右へと第１の巻芯端回避区域の現在の配置を算出すると共に、巻芯Ｃの並ぶ順に左から右へと巻芯Ｃの配置を算出し、両者を比較して、多数の係合体９の中から巻芯端回避区域内に巻芯Ｃの端が位置している係合体９を休止係合体として見つけ出す。そして全ての係合体９又は全ての巻芯Ｃについて比較判定が行われると、検出手段２２は、累積移動量Ｌｋにおける休止係合体の検出を終了する。
【００７０】
次に本発明に係る巻取幅変更方法の第１実施例について説明する。この巻取幅変更方法は、図１に示すシート分割巻取装置において巻取幅を変更する場合に実施するもので、先ず、スリッター１による帯状シートＳの所要分割幅を、図４に示す最適ずれ量算出装置の設定部２４に入力し、その最適ずれ量算出装置によって巻取幅変更後のスリッター１と巻軸２毎の最適移動量Ｄを夫々算出する。次に、スリッター２が有する刃物６を、入力される所要分割幅に基づく分割位置に配置する。またスリッター１と巻軸２とのシート幅方向のずれ量が、算出した巻軸２毎の最適ずれ量Ｄになるように図１に示す２本の巻軸２の位置を個々に変更する。この巻軸２の変更は、センタ装置１５のハンドル２０を必要な方向に必要な量だけ回して行う。
【００７１】
図８は、本発明による最適ずれ量算出装置の第２実施例について、その構成を示すブロック図であり、この最適ずれ量算出装置は、次の点で図４に示す第１実施例の最適ずれ量算出装置と相違している。
【００７２】
即ち、判定手段２９が上側の巻軸２上のｒ個の各巻芯について、その巻芯の一端に対する判定結果を記憶する記憶部Ａ１１、・・・、Ａ１ｐ、・・・、Ａ１ｒ、及びその巻芯の他の一端に対する判定結果を記憶する記憶部Ａ２１、・・・、Ａ２ｐ、・・・、Ａ２ｒを備えており、図６の工程Ｓ７において、係合体９ｊが休止係合体であると判定して記憶部Ｂｊに「１」を記憶するとき、記憶部Ａ１ｐ（Ａ２ｐ）にも「１」を記憶する。そして検出手段２２は、判定手段２９の記憶部Ｂ１、・・・、Ｂｊ、・・・、Ｂｎに記憶している休止係合体の検出結果だけでなく、記憶部Ａ１１、・・・、Ａ１ｐ、・・・、Ａ１ｒ、並びに記憶部記憶部Ａ２１、・・・、Ａ２ｐ、・・・、Ａ２ｒに記憶している休止係合体となる係合体９を特定する情報Ａａｋを抽出手段２３へ出力する。
【００７３】
また、抽出手段２３は、休止係合体の総数Ｎｋと巻軸２の累積移動量Ｌｋとを関係付けて記憶するだけでなく、記憶部Ａ１１、・・・、Ａ１ｐ、・・・、Ａ１ｒ並びに記憶部Ａ２１、・・・、Ａ２ｐ、・・・、Ａ２ｒに記憶している休止係合体となる係合体９を特定する情報Ａｋも累積移動量Ｌｋに関係付けて記憶し、巻軸２の移動終了後に、最適ずれ量Ｄを出力部３７に出力すると共に、休止係合体となる係合体９を特定する情報Ａを出力部３８に出力する。
【００７４】
図９は上側の巻軸２について最適ずれ量を算出した場合に、出力部３８に表示される休止係合体となる係合体９を特定する情報Ａの一例を示す。１行目は巻芯の番号を表し、２行目、３行目は、その巻芯の一端又は他の一端が巻芯体回避区域に位置する場合は「１」で表し、そうでない場合は「０」で表している。この場合、図９において巻芯Ｃｒの巻芯の一端のデータが「１」となっているので、図２に示す上側の巻軸２上の巻芯Ｃｒの一端に対応する係合体９が休止係合体となる。
【００７５】
次に、本発明の巻取幅変更方法の第２実施例について説明する。この巻取幅変更方法は、図１に示すシート分割巻取装置において実施し、巻取幅変更後のスリッター１と各巻軸２の最適移動量Ｄａ、Ｄｂを、夫々図８に示す第２実施例の最適ずれ量算出装置によって算出すると共に、休止係合体となる係合体９を特定する情報Ａａ、Ａｂを出力する点、及び、休止係合体の総数が零でなかった場合、出力した休止係合体となる係合体９を特定する情報Ａａ、Ａｂに基づき、休止係合体となる係合体９について該係合体９が巻芯Ｃを拘束するための係合をすることができないようにする工程を加えた点が、前述の巻取幅変更方法の第１実施例と相違する。
【００７６】
この場合に使用する巻軸２は、巻芯への回転力伝達機能の停止復活の切替を簡単な操作により行うことができる巻取カラー１１を備えるものが望ましい。例えば、図３（Ａ）に示す係合体９は、巻取カラー１１に形成した、底面が円周方向に傾斜している溝に配置すると共に、巻取カラー１１に回転可能に装着した保持環３９により脱落不能に保持されており、この係合体９が溝の深い部分に後退した状態で、巻取カラー１１に設けたネジ穴に止めネジ４０を螺着して保持環３９を巻取カラー１１に対し回転不能にすることで、巻芯Ｃｐへの回転力伝達機能を停止することができるようになっている。
【００７７】
図１０はシート分割巻取装置の別の一例を示す。このシート分割巻取装置では、上下の巻軸２はシート幅方向に巻取位置を変えることができず、スリッター１はシート幅方向に位置を変更することができる。そのために、このスリッター１では、支持梁５の両端部を一対の機枠８にスライド可能に装着し、支持梁５の右側の端部に、シート幅方向に移動不能かつ回動可能に保持されたネジ棒４１を螺合させ、このネジ棒４１をブラケット８ａで回動可能に軸線方向に移動不能に保持し、ネジ棒４１の後端に傘歯車４２を取付け、この傘歯車４２に噛み合う傘歯車４３を、回動可能に設けた伝道軸４４の先端に取付けると共に、伝道軸４４の後端にインジケータ付きのノブ４５を取付け、そのノブ４５を回転させることにより、支持梁５上の各ホルダー７に保持した刃物６が支持梁５と一緒にシート幅方向に移動するようにしてある。
【００７８】
図１１はシート分割巻取装置の更に別の一例を示す。このシート分割巻取装置では、スリッター１を設けた一対の機枠８、８とベース４６とを共通の床上に固定し、ベース４６上にシート幅方向に平行に設けたレール４７に一対の機枠４８の基部４８ａをスライド可能に装着し、ベース４６上に固設したブラケット４９でネジ棒５０を回転可能かつ軸線方向に移動不能に保持し、そのネジ棒５０の一端を、一対の機枠４７の基部４８ａの端部に螺合させ、ネジ棒５０の他の一端にハンドル５１を取付け、そのハンドル５１を操作してネジ棒５０を回動させることにより、一対の機枠４７をシート幅方向に移動可能にしており、２本の巻軸２を一対の機枠４８間に取付けている。したがって２本の巻軸２は、一対の機枠４８と共にスリッター１に対して同時に同量ずつシート幅方向に移動することができ、シート幅方向に位置を変更することができる。
【００７９】
図１２は、本発明による最適ずれ量算出装置の第３実施例の構成を示すブロック図であり、検出手段２２は、２本の巻軸２を一緒に移動させると仮定して、各巻軸２について、多数の係合体９の中から巻芯端回避区域内に巻芯Ｃの端が位置している係合体９を休止係合体として検出するものである点、そして検出手段２２が巻軸２の停止毎に各巻軸２について検出した休止係合体の総数Ｎａｋ、Ｎｂｋを合計して、その合計値（Ｎａｋ＋Ｎｂｋ）と、巻軸２の累積移動量Ｌｋを関係付けて記憶し、巻軸２の移動終了後に合計値（Ｎａｋ＋Ｎｂｋ）が最小となるときの巻軸２の累積移動量Ｌｋを最適ずれ量Ｄとして出力する抽出手段２３を備える点で、図４に示す第１実施例の最適ずれ量算出装置と相違している。
【００８０】
図１２において検出手段２２は、上側及び下側の各巻軸２について、夫々巻芯の配置を算出する第１の算出手段２６Ａ、２６Ｂと、この第１の算出手段２６Ａ、２６Ｂが算出した巻芯の配置と、巻芯端回避区域の現在の配置を算出する第２の算出手段２８とを比較して、係合体９毎に休止係合体とする判定手段２９Ａ、２９Ｂを備える。
【００８１】
抽出手段２３は、上側及び下側の各巻軸２について、夫々検出手段２２による検出結果に基づき、巻軸２の停止毎に休止係合体となった係合体９を計数して休止係合体の総数Ｎａｋ、Ｎｂｋを算出することができる総和算出手段３６Ａ、３６Ｂを有する。これらは、図４に示した最適ずれ量算出装置における第１の算出手段２６、第２の算出手段２８、判定手段２９及び総和算出手段３６と同様に構成されている。各巻軸２は夫々同じ構造であり、夫々の係合体９の配置も同じであるため、第２の算出手段２８は各巻軸２に対して共通になっている。なお各巻軸２の中心と最初の係合体９との距離Ｌｂ０が等しくない場合は、各巻軸２について第２の算出手段２８を備えておく。
【００８２】
更に抽出手段２３は、各巻軸２の停止毎の休止係合体の総数Ｎａｋ、Ｎｂｋを記憶する記憶部Ｎａ、Ｎｂと、記憶部Ｎａ、Ｎｂに記憶に基づき休止係合体の総数の合計値（Ｎａｋ＋Ｎｂｋ）を記憶する記憶部Ｎと、巻軸２の停止毎の巻軸２の累積移動量Ｌｋを記憶する記憶部Ｄとを備えている。また図８に示す実施例と同様に、巻軸２の停止毎に休止係合体となる係合体９を特定する情報Ａａｋ、Ａｂｋを、累積移動量Ｌｋ及び休止係合体の総数の合計値（Ｎａｋ＋Ｎｂｋ）とを関係付けて記憶し、巻軸２の移動終了後に、最適ずれ量Ｄを出力部３７に出力すると共に、２本の巻軸２について休止係合体となる係合体９を特定する情報Ａａ、Ａｂを出力部３８に同時に表示することができるようになっている。
【００８３】
次に、本発明の巻取幅変更方法の第３実施例について説明する。この実施例の巻取幅変更方法は、図１０又は図１１に示すシート分割巻取装置において実施し、前述の巻取幅変更方法の第１実施例とは、図１２に示す第３実施例の最適ずれ量算出装置を用いて、２本の複数の巻軸２を同時に移動する場合の巻取幅変更後のスリッター１と巻軸２の最適移動量を算出する点、及びスリッター１と巻軸２とのずれ量が、算出した最適ずれ量Ｄになるように、スリッター１を、又は２本の巻軸２を同時に移動させる点が相違している。
【００８４】
図１０に示すシート分割巻取装置で巻取幅を変更する場合には、ノブ４５を操作することによりスリッター１の位置を変更する。なお、スリッター１の位置を変更する場合のスリッター１の移動方向は、巻軸２を移動させる場合とは逆方向となる。またスリッター１を移動させる前の刃物２を必要な分割位置に配置する作業は、スリッター１の中心が中心線ＣＬ上に位置する状態で行う。また図１１に示すシート分割巻取装置で巻取幅を変更する場合には、ハンドル５１を操作することにより、機枠４８と共に２本の巻軸２の位置を同時に変更する。
【００８５】
上述の本発明による最適ずれ量算出装置の第１実施例から第３実施例では、最適ずれ量を算出するために、巻軸２をシート幅方向に所定範囲内で一定距離ずつ間欠的に移動させると仮定しているが、巻軸２に替えてスリッター１を移動させると仮定しても最適ずれ量を算出することができる。
【００８６】
図１３は、本発明による最適ずれ量算出装置の第４実施例の構成を示すブロック線図である。この最適ずれ量算出装置は、図１に示すシート分割巻取装置に適用するものであり、図８に示す第２実施例とは、図８に示す移動量算出手段２１の代わりに、スリッター１をシート幅方向に所定範囲内で一定距離ずつ間欠的に移動させると仮定して、スリッター１の停止毎に該スリッター１の累積移動量Ｌｋを算出する移動量算出手段２１を備える点、図８に示す検出手段２２の代わりに、スリッター１の停止毎に、巻軸２上の係合体９に設定した巻芯端回避区域の配置と、入力されたスリッター１による帯状シートの所要分割幅及び移動量算出手段２１からの累積移動量Ｌｋに基づく巻芯Ｃの現在の配置とを比べて、多数の係合体９の中から巻芯端回避区域内に巻芯Ｃの端が位置している係合体９を休止係合体として検出すると共に、休止係合体となる係合体を特定する情報を出力する検出手段２２を備える点、及び図８に示す抽出手段２３の代わりに、スリッター１の停止毎に、検出手段２２が検出した休止係合体の総数Ｎｋを算出して該休止係合体の総数Ｎｋと移動量算出手段２１からの累積移動量Ｌｋと検出手段２２からの休止係合体となる係合体９を特定する情報Ａａとを関係付けて記憶し、スリッター１の移動終了後に、スリッター１の停止毎の休止係合体の総数Ｎｋが最小となるときの累積移動量Ｌｋを最適ずれ量Ｄとして出力すると共に、休止係合体となる係合体９を特定する情報を出力する抽出手段２３とを備える点が相違している。
【００８７】
本発明による最適ずれ量算出装置は、図１３に示す検出手段２２を、単に多数の係合体９の中から巻芯端回避区域内に巻芯Ｃの端が位置している係合体９を休止係合体として検出するものに替え、図１３に示す抽出手段２３を、単に、検出手段２２が検出した休止係合体の総数Ｎｋを算出して該休止係合体の総数Ｎｋと移動量算出手段２１からの累積移動量Ｌｋとを関係付けて記憶し、スリッター１の移動終了後に、スリッター１の停止毎の休止係合体の総数Ｎｋが最小となるときの累積移動量Ｌｋを最適ずれ量Ｄａとして出力するものに替えたものでもよい。
【００８８】
更に、本発明による最適ずれ量算出装置は、図１１に示す最適ずれ量算出装置において、移動量算出手段２１は、巻軸２の代わりにスリッター１が移動すると仮定して、巻軸２の累積移動量の代わりに、スリッター１の累積移動量Ｌｋを算出することとし、検出手段２２は、巻軸２の停止毎に該巻軸２上の係合体９に設定した巻芯端回避区域の現在の配置と、入力されたスリッター１による帯状シートの所要分割幅に基づく巻芯Ｃの配置とを比べる代わりに、巻軸２上の係合体９に設定した巻芯端回避区域の配置と、スリッター１の停止毎に、該スリッター１による帯状シートの所要分割幅、並びに移動量算出手段２１からの累積移動量Ｌｋとに基づく巻芯Ｃの現在の配置とを比べることとし、抽出手段２３は、巻軸２の停止毎に該巻軸２毎の休止係合体の総数の合計値（Ｎａｋ＋Ｎｂｋ）と巻軸２の累積移動量とを関係付けて記憶する代わりに、スリッター１の停止毎に、各巻軸２の休止係合体の総数の合計値とスリッター１の累積移動量Ｌｋとを関係付けて記憶し、更に、巻軸２の移動終了後に各巻軸２の休止係合体の総数の合計値が最小となるときの巻軸２の累積移動量Ｌｋを最適ずれ量とする代わりに、スリッター１の移動終了後に、スリッター１の停止毎の各巻軸２の休止係合体の総数の合計値が最小となるときのスリッター１の累積移動量Ｌｋを最適ずれ量Ｄとすることとしたものでもよい。
【００８９】
以上、少数の実施例により本発明を説明したが、本発明の実施例は発明の要旨を変えることなく多様に変わり得る。本発明では、シート分割巻取装置において、巻軸２が有する係合体９は球体とは限らず、例えば図１４に示すような爪であってもよい。この爪９は、巻取カラー１１に設けた軸線方向の可動片５２に形成した傾斜面５２ａ上に配置してあり、可動片５２の移動により巻取カラー１１の外周へ突出して巻芯Ｃの内周面に係合することができるようになっている。図１４においてＡｒ１は、この爪９に設定した巻芯Ｃの一端に対する第１の巻芯端回避区域、Ａｒ２は同じく巻芯Ｃの他の一端に対する第２の巻芯端回避区域である。また図３に示す巻軸が有する係合体９は、巻取カラー１１上のシート幅方向における１箇所に配置した球体であるが、図１５に示すように巻取カラー１１上のシート幅方向における２箇所に巻芯拘束用の球体９ａ、９ｂを配置した場合は、２箇所の球体９ａ、９ｂを一つの係合体と見做すことができる。図１５においてＡｒ１は、２箇所の球体９ａ、９ｂからなる係合体に設定した、巻芯Ｃの一端に対する第１の巻芯端回避区域、Ａｒ２は同じく巻芯Ｃの他の一端に対する第２の巻芯端回避区域である。また最適ずれ量算出装置は、検出手段に巻芯の配置に関する情報としてスリッターによる帯状シートの所要分割幅を入力するの代わりに所要分割位置を入力するようにしたものでもよい。また各分割シートの幅が等しい場合には分割シート幅の範囲内で巻軸又はスリッターがシート幅方向に移動すると仮定して最適ずれ量を算出するようにしてもよい。更に第１の巻芯端回避区域と第２の巻芯端回避区域を係合体に対して同じ区域に設定する場合もあり得る。この場合は巻芯の配置と巻芯の両端に対して共通の巻芯端回避区域の配置とを比べて休止係合体を検出する。
【符号の説明】
【００９０】
Ｓ０  帯状シート
Ｓ  分割シート
１  スリッター
２  巻軸
５  支持梁
５ａ  案内面
６  刃物
７  ホルダー
８  機枠
９  係合体
１１  巻取カラー
１５  センタ装置
１６  回転センタ
１９  ネジ棒
２０  ハンドル
２１  移動量算出手段
２２  検出手段  
２３  抽出手段
２４  設定部
２５  第１の記憶部
２６  第１の算出手段
２７  第２の記憶部
２８  第２の算出手段
２９  判定手段
３６  総和算出手段
４１  ネジ棒
４５  ノブ  
５０  ネジ棒
５１  ハンドル
【図１】
0006443042.tif 000002
【図２】
0006443042.tif 000003
【図３】
0006443042.tif 000004
【図４】
0006443042.tif 000005
【図５】
0006443042.tif 000006
【図６】
0006443042.tif 000007
【図７】
0006443042.tif 000008
【図８】
0006443042.tif 000009
【図９】
0006443042.tif 000010
【図１０】
0006443042.tif 000011
【図１１】
0006443042.tif 000012
【図１２】
0006443042.tif 000013
【図１３】
0006443042.tif 000014
【図１４】
0006443042.tif 000015
【図１５】
0006443042.tif 000016